(57)【要約】【課題】人手による支えが無くても架台の載置部に容易に位置決めすることができる太陽電池モジュールを得ること。【解決手段】太陽電池モジュール７は、太陽電池パネル２０と、太陽電池パネル２０の一辺を覆う上フレーム１ａと、太陽電池パネル２０の上フレーム１ａが覆う辺と対向する一辺を覆う下フレーム１ｂとを有し、上フレーム１ａ及び下フレーム１ｂは、仮固定穴２及び突起取付穴８を少なくとも１対備え、上フレーム１ａの仮固定穴２穴及び下フレーム１ｂの突起取付穴８は、上フレーム１ａ及び下フレーム１ｂの長手方向の同じ位置に設けられており、かつ下フレーム１ｂの仮固定穴２及び上フレーム１ａの突起取付穴８は、上フレーム１ａ及び下フレーム１ｂの長手方向の同じ位置に設けられている。【選択図】図１
2018033270.tif 000002
【特許請求の範囲】
【請求項１】
太陽電池パネルと、
前記太陽電池パネルの一辺を覆う第１のフレームと、
前記太陽電池パネルの前記第１のフレームが覆う辺と対向する一辺を覆う第２のフレームとを有し、
前記第１のフレームは、第１の係合穴及び第１の突起取付穴を少なくとも１対備え、
前記第２のフレームは、第２の係合穴及び第２の突起取付穴を少なくとも１対備え、
前記第１の係合穴及び前記第２の突起取付穴は、前記第１のフレーム及び前記第２のフレームの長手方向の同じ位置に設けられており、かつ前記第２の係合穴及び前記第１の突起取付穴は、前記第１のフレーム及び前記第２のフレームの長手方向の同じ位置に設けられていることを特徴とする太陽電池モジュール。
【請求項２】
前記第１の係合穴及び前記第１の突起取付穴は、前記第１のフレームの長手方向の中央を中心に対称となる位置に設けられており、
前記第２の係合穴及び前記第２の突起取付穴は、前記第２のフレームの長手方向の中央を中心に対称となる位置に設けられていることを特徴とする請求項１に記載の太陽電池モジュール。
【請求項３】
前記第１の突起取付穴は、前記第２の係合穴の上端と下端との間の高さに設けられており、
前記第２の突起取付穴は、前記第１の係合穴の上端と下端との間の高さに設けられていることを特徴とする請求項１又は２に記載の太陽電池モジュール。
【請求項４】
前記第２の係合穴は、前記第１の突起取付穴に取り付けられる第１の突起が通過可能な第２の通過部と、前記第１の突起が係合する第２の保持部とを有し、
前記第１の係合穴は、前記第２の突起取付穴に取り付けられる第２の突起が通過可能な第１の通過部と、前記第２の突起が係合する第１の保持部とを有することを特徴とする請求項１から３のいずれか１項に記載の太陽電池モジュール。
【請求項５】
載置部が傾斜を有する架台と、
太陽電池パネルの周縁の一辺を覆う第１のフレームと、前記太陽電池パネルの前記第１のフレームが覆う辺と対向する一辺を覆う第２のフレームとを備え、前記第１のフレームに第１の係合穴及び第１の突起取付穴が少なくとも１対設けられており、前記第２のフレームに第２の係合穴及び第２の突起取付穴が少なくとも１対設けられており、前記載置部に設置された複数の太陽電池モジュールとを有し、
前記太陽電池モジュールは、前記第１の突起取付穴に取り付けられた第１の突起が前記第２の係合穴を貫通し、かつ前記第２の突起取付穴に取り付けられた第２の突起が前記第１の係合穴に貫通した状態で、前記載置部に固定されていることを特徴とする太陽電池システム。
【請求項６】
前記第１の係合穴及び前記第１の突起取付穴は、前記第１のフレームの長手方向の中央を中心に対称となる位置に設けられており、
前記第２の係合穴及び前記第２の突起取付穴は、前記第２のフレームの長手方向の中央を中心に対称となる位置に設けられていることを特徴とする請求項５に記載の太陽電池システム。
【請求項７】
前記第１の突起取付穴は、前記第２の係合穴の上端と下端との間の高さに設けられており、
前記第２の突起取付穴は、前記第１の係合穴の上端と下端との間の高さに設けられていることを特徴とする請求項５又は６に記載の太陽電池システム。
【請求項８】
前記第１のフレームと前記第２のフレームとは同一形状であることを特徴とする請求項５から７のいずれか１項に記載の太陽電池システム。
【請求項９】
前記第１の係合穴は、前記第２の突起が通過可能な第１の通過部と、前記第２の突起が係合する第１の保持部とを有し、
前記第２の係合穴は、前記第１の突起が通過可能な第２の通過部と、前記第２の突起が係合する第２の保持部とを有し、
前記太陽電池モジュールは、前記第１の突起が前記第２の保持部に配置され、かつ前記第２の突起が前記第１の保持部に配置された状態で前記載置部に固定されていることを特徴とする請求項５から８のいずれか１項に記載の太陽電池システム。
【発明の詳細な説明】
【技術分野】
【０００１】
本発明は、光を吸収して電気エネルギーに変換する太陽電池モジュール及び太陽電池システムに関する。
【背景技術】
【０００２】
太陽電池モジュールは光を吸収して電気エネルギーに変換しており、より多くの光を吸収するために太陽電池モジュールを適当な角度に傾斜させる必要がある。このため、傾斜の付いた載置部を有する架台の上に太陽電池モジュールを設置する方法が広く用いられている。
【０００３】
特許文献１に開示されるように、架台への太陽電池モジュールの据え付けは、架台の載置部の固定穴と太陽電池モジュールのフレームとを位置合わせして、ボルト及びナットで固定していた。
【先行技術文献】
【特許文献】
【０００４】
【特許文献１】特開２０１３−１６３９２７号公報
【発明の概要】
【発明が解決しようとする課題】
【０００５】
太陽電池モジュールを架台の載置部に固定する際、人手の支えが無いと架台の載置部の傾斜によって太陽電池モジュールがずれてしまい、太陽電池モジュールのフレームと架台の載置部の固定穴との位置合わせが困難であり施工性が悪い。このため、載置部に傾斜の付いた架台に人手による支え無しで太陽電池モジュールを容易に位置決めすることができる太陽電池システムの実現が求められている。
【０００６】
本発明は、上記に鑑みてなされたものであって、人手による支えが無くても架台の載置部に容易に位置決めすることができる太陽電池モジュールを得ることを目的とする。
【課題を解決するための手段】
【０００７】
上述した課題を解決し、目的を達成するために、本発明は、太陽電池パネルと、太陽電池パネルの一辺を覆う第１のフレームと、太陽電池パネルの第１のフレームが覆う辺と対向する一辺を覆う第２のフレームとを有する。第１のフレームは、第１の係合穴及び第１の突起取付穴を少なくとも１対備える。第２のフレームは、第２の係合穴及び第２の突起取付穴を少なくとも１対備える。第１の係合穴及び第２の突起取付穴は、第１のフレーム及び第２のフレームの長手方向の同じ位置に設けられており、かつ第２の係合穴及び第１の突起取付穴は、第１のフレーム及び第２のフレームの長手方向の同じ位置に設けられている。
【発明の効果】
【０００８】
本発明によれば、人手による支えが無くても架台の載置部に容易に太陽電池モジュールを位置決めすることができるという効果を奏する。
【図面の簡単な説明】
【０００９】
【図１】本発明の実施の形態１に係る太陽電池モジュールの外観図
【図２】実施の形態１に係る太陽電池モジュールの断面図
【図３】実施の形態１に係る太陽電池モジュールの上フレーム及び下フレームの詳細図
【図４】実施の形態１に係る太陽電池モジュールの仮固定穴を示す図
【図５】実施の形態１に係る太陽電池モジュールを架台の載置部の最上段に設置する準備作業を示す図
【図６】実施の形態１に係る太陽電池モジュールを架台の載置部の最上段に設置する作業を示す図
【図７】実施の形態１に係る太陽電池モジュールを架台の載置部の中段に設置する準備作業を示す図
【図８】実施の形態１に係る太陽電池モジュールの上フレーム及び下フレームにねじを取り付けた状態を裏面側から見た模式図
【図９】実施の形態１に係る太陽電池モジュールを架台の載置部の中段に仮固定する作業を示す図
【図１０】実施の形態１に係る太陽電池モジュールの仮固定後の仮固定穴付近を示す図
【図１１】実施の形態１に係る太陽電池モジュール同士を仮固定した状態を示す断面図
【図１２】実施の形態１に係る太陽電池モジュール同士を仮固定した状態を裏面側から見た模式図
【図１３】実施の形態１に係る仮固定後の中段の太陽電池モジュールを架台の載置部の中段に設置する作業を示す外観図
【図１４】実施の形態１に係る太陽電池モジュールを架台の載置部の最下段に設置する準備作業を示す図
【図１５】実施の形態１に係る太陽電池モジュールを架台の載置部の最下段に仮固定する作業を示す図
【図１６】実施の形態１に係る太陽電池モジュールを架台の載置部に三段設置した太陽電池システムを裏面側から見た模式図
【図１７】本発明の実施の形態２に係る太陽電池モジュールを仮固定する状態を示す図
【図１８】実施の形態２に係る太陽電池モジュールの仮固定穴を示す図
【図１９】実施の形態２に係る太陽電池モジュール同士を仮固定した状態を示す断面図
【図２０】実施の形態２に係る太陽電池モジュールの仮固定後の仮固定穴付近を示す図
【図２１】本発明の実施の形態３に係る太陽電池モジュールを仮固定する状態を示す図
【図２２】実施の形態３に係る太陽電池モジュールの仮固定穴を示す図
【図２３】実施の形態３に係る太陽電池モジュール同士を仮固定した状態を示す断面図
【図２４】実施の形態３に係る太陽電池モジュールの仮固定後の仮固定穴付近を示す図
【発明を実施するための形態】
【００１０】
以下に、本発明の実施の形態に係る太陽電池システム及び太陽電池モジュールを図面に基づいて詳細に説明する。なお、この実施の形態によりこの発明が限定されるものではない。
【００１１】
実施の形態１．
図１は、本発明の実施の形態１に係る太陽電池モジュールの外観図である。図１（ａ）は、太陽電池モジュール７の受光面から見た外観を示しており、図１（ｂ）は、上フレーム１ａの外観を示しており、図１（ｃ）は、下フレーム１ｂの外観図を示しており、図１（ｄ）は、太陽電池モジュール７の側面から見た外観を示しており、図１（ｅ）は、太陽電池モジュール７の裏面から見た外観を示している。図２は、実施の形態１に係る太陽電池モジュールの断面図である。図２は、図１（ａ）中のII-II線に沿った断面を示している。太陽電池モジュール７は、太陽電池セル７１をガラス、エチレン酢酸ビニル共重合体及びバックフィルムでラミネートした太陽電池パネル２０と、太陽電池パネル２０の四方を囲って強度を確保するフレーム１とを備えている。後述する架台への設置後の受光面側から見て太陽電池モジュール７の上辺側のフレームを上フレーム１ａ、下辺側のフレームを下フレーム１ｂ、左辺側のフレームを左フレーム１ｃ、右辺側のフレームを右フレーム１ｄとする。上フレーム１ａは、太陽電池パネル２０の一辺を覆う第１のフレームであり、下フレーム１ｂは、太陽電池パネル２０の上フレーム１ａが覆う辺と対向する一辺を覆う第２のフレームである。以下の説明では、上フレーム１ａ、下フレーム１ｂ、左フレーム１ｃ及び右フレーム１ｄに共通する事項をいう際には、纏めてフレーム１という。
【００１２】
太陽電池パネル２０は、受光面２０ａから光を受光して発電する発電機能を有する。フレーム１は、太陽電池パネル２０の周囲に取り付けられて太陽電池パネル２０を保持する。
【００１３】
フレーム１は、図２に示すように、太陽電池パネル２０の裏面２０ｂの外周縁部２０ｃに向けて下辺部３１から延びる側面部である立ち上がり辺部３２を有する。ここで、下辺部３１は、立ち上がり辺部３２よりも太陽電池パネル２０側である内側に張り出している。なお、下辺部３１は、立ち上がり辺部３２よりも外側方向に張り出す部分を有していても良い。
【００１４】
立ち上がり辺部３２のうち太陽電池パネル２０側となる端部には、太陽電池パネル２０の一辺を保持する保持部３３が形成されている。なお、保持部３３が形成される側の立ち上がり辺部３２の端部を上端という。保持部３３は、立ち上がり辺部３２の上端から内側方向に張り出す内側張り出し上辺部３３ａと、内側張り出し上辺部３３ａの外側、すなわち立ち上がり辺部３２の上端から上方に向けて延びる上方延出部３３ｂと、上方延出部３３ｂから内側方向に延びて内側張り出し上辺部３３ａとの間に太陽電池パネル２０を挟持する挟持部３３ｃとを有する。したがって、側面部である立ち上がり辺部３２は、保持部３３から太陽電池パネル２０の受光面２０ａと対向する裏面２０ｂ側に、太陽電池パネル２０の面内方向と交差する方向に延びている。
【００１５】
図３は、実施の形態１に係る太陽電池モジュールの上フレーム及び下フレームの詳細図である。図３（ｂ）は、図３（ａ）中のIIIb-IIIb線に沿った断面を示している。図４は、実施の形態１に係る太陽電池モジュールの仮固定穴を示す図である。上フレーム１ａ及び下フレーム１ｂは、同一形状であり、側面をなす立ち上がり辺部３２に仮固定穴２及び突起取付穴８が設けられている。突起取付穴８は、上フレーム１ａ及び下フレーム１ｂの高さ方向の上下２箇所に並んで設けられている。仮固定穴２は、円形穴と長穴とを組み合わせた形状である。仮固定穴２は、後述する突起３を通す円形状の通過部２ａを中心に有し、突起３と係合して保持する保持部２ｂを通過部２ａの上下に有する。通過部２ａの直径は、後述する突起３を形成するねじのねじ頭の外形寸法よりも大きくなっている。保持部２ｂの幅は、突起３を形成するねじのねじ頭の外形寸法よりも小さくなっている。突起取付穴８は、仮固定穴２の上端２ｕと下端２ｌとの間の高さに設けられている。
【００１６】
第１のフレームである上フレーム１ａに設けられた仮固定穴２は第１の係合穴であり、第２のフレームである下フレーム１ｂに設けられた仮固定穴２は第２の係合穴である。第１のフレームである上フレーム１ａに設けられた突起取付穴８は、第１の突起取付穴であり、第２のフレームである下フレーム１ｂに設けられた突起取付穴８は、第２の突起取付穴である。上フレーム１ａの仮固定穴２及び下フレーム１ｂの突起取付穴８は、上フレーム１ａ及び下フレーム１ｂの長手方向の同じ位置に設けられており、かつ下フレーム１ｂの仮固定穴２及び上フレーム１ａの突起取付穴８は、上フレーム１ａ及び下フレーム１ｂの長手方向の同じ位置に設けられている。したがって、上フレーム１ａと下フレーム１ｂとが隣接するように太陽電池モジュール７を二つ並べた場合、上フレーム１ａに設けられた仮固定穴２ａは、下フレーム１ｂに設けられた突起取付穴８と対向する。同様に、下フレーム１ｂに設けられた仮固定穴２ａは、上フレーム１ａに設けられた突起取付穴８と対向する。
【００１７】
太陽電池パネル２０は長方形状の外形を有する。太陽電池パネル２０の四方をフレーム１により囲っている。第１のフレームである上フレーム１ａと第２のフレームである下フレーム１ｂとは同じ長さである。上フレーム１ａ及び下フレーム１ｂと、左フレーム１ｃ及び右フレーム１ｄとは直交する。上フレーム１ａ、下フレーム１ｂ、左フレーム１ｃ及び右フレーム１ｄにより、長方形状の太陽電池モジュール７が形成される。
【００１８】
上フレーム１ａの仮固定穴２及び下フレーム１ｂの突起取付穴８は、各フレームの中心位置からの距離が同じ位置に設けられている。すなわち、上フレーム１ａ及び下フレーム１ｂの長手方向の同じ位置に設けられている。下フレーム１ｂの仮固定穴２及び上フレーム１ａの突起取付穴８は、各フレームの中心位置からの距離が同じ位置に設けられている。すなわち、上フレーム１ａ及び下フレーム１ｂの長手方向の同じ位置に設けられている。
【００１９】
また、図１（ｅ）に示したように、上フレーム１ａ及び下フレーム１ｂの下辺部３１には、架台の載置部に据え付けるために用いる太陽電池モジュール固定穴５ａが二つずつ設けられている。
【００２０】
実施の形態１に係る太陽電池モジュール７を架台の載置部に固定する手順について説明する。以下では、架台の載置部に太陽電池モジュール７を三枚設置する手順を説明する。なお、架台の載置部に設置する三枚の太陽電池モジュール７は、最上段に設置するものを太陽電池モジュール７ａ、中段に設置するものを太陽電池モジュール７ｂ、最下段に設置するものを太陽電池モジュール７ｃと表記して区別する。図５は、実施の形態１に係る太陽電池モジュールを架台の載置部の最上段に設置する準備作業を示す図である。図５（ａ）は、最上段の太陽電池モジュール７ａの外観を示しており、図５（ｂ）は、図５（ａ）中のＡ部を拡大して示しており、図５（ｃ）は、下フレーム１ｂに突起３を取り付けた状態を示しており、図５（ｄ）は、図５（ｃ）中のVd-Vd断面を示している。なお、構成の理解を容易とするために図５（ｂ）では太陽電池パネル２０の図示は省略している。突起３は、例えば、十字穴付きねじを用い、下フレーム１ｂの高さ方向上下２箇所の突起取付穴８のうち、上側の突起取付穴８に取り付けられている。なお、突起３の取り付け位置は、中段の太陽電池モジュール７ｂの上フレーム１ａの仮固定穴２と対向する位置である。
【００２１】
図６は、実施の形態１に係る太陽電池モジュールを架台の載置部の最上段に設置する作業を示す図である。図６（ａ）は、太陽電池モジュール７ａ及び架台４の外観を示しており、図６（ｂ）は、太陽電池モジュール７ａを架台４の載置部４ａに設置した後での図６（ａ）中のVIb-VIb線に沿った断面を示している。最上段の太陽電池モジュール７ａは、上フレーム１ａ又は下フレーム１ｂと架台４の載置部４とが重なる図６（ａ）中の４箇所のＢ部において、載置部４ａの上端部の架台固定穴５ｂに太陽電池モジュール固定穴５ａを合わせ、図６（ｂ）に示すようにボルト６ａ及びナット６ｂで固定する。
【００２２】
図７は、実施の形態１に係る太陽電池モジュールを架台の載置部の中段に設置する準備作業を示す図である。図７（ａ）は、中段の太陽電池モジュール７ｂの外観を示しており、図７（ｂ）は、図７（ａ）中のＣ部を拡大して示しており、図７（ｃ）は、図７（ａ）中のＤ部を拡大して示している。なお、構成の理解を容易とするために図７（ｂ）及び図７（ｃ）では太陽電池パネル２０の図示は省略している。図７（ｂ）は、下フレーム１ｂに突起３を取り付ける状態を示し、図７（ｃ）は、上フレーム１ａに突起３を取り付ける状態を示す。上フレーム１ａに対しては、突起３は、載置部４ａの傾斜の上側から取り付けられる。また、下フレーム１ｂに突起３を取り付けた状態は、前述の図５（ｃ）及び図５（ｄ）と同様である。図７（ａ）のＣ部に取り付ける突起３は、十字穴付きねじを用い、下フレーム１ｂの高さ方向上下２箇所の突起取付穴８のうち、下フレーム１ｂの上側の突起取付穴８に取り付けられている。また、図７（ａ）のＤ部に取り付ける突起３は、十字穴付きねじを用い、上フレーム１ａの下側の突起取付穴８に取り付けられている。なお、上フレーム１ａの突起３の取り付け位置は、最上段の太陽電池モジュール７ａの下フレーム１ｂの仮固定穴２と対向する位置であり、また、下フレーム１ｂの突起３の取り付け位置は、後述する最下段の太陽電池モジュール７ｃの上フレーム１ａの仮固定穴２と対向する位置である。
【００２３】
図８は、実施の形態１に係る太陽電池モジュールの上フレーム及び下フレームにねじを取り付けた状態を裏面側から見た模式図である。中段の太陽電池モジュール７ｂにおいて、上フレーム１ａの中央からＧの位置に突起３を形成するねじが取り付けられている。また、上フレーム１ａの中央からＨの位置に仮固定穴２が設けられている。また、下フレーム１ｂの中央からＩの位置に仮固定穴２が設けられている。また、下フレーム１ｂの中央からＪの位置に突起３を形成するねじが取り付けられている。
【００２４】
ここで、各段の太陽電池モジュール７は同じ構造である。したがって、上フレーム１ａの突起３の位置と下フレーム１ｂの仮固定穴２の位置とを同じにするとともに、上フレーム１ａの仮固定穴２の位置と下フレーム１ｂの突起３の位置とを同じにすることで、上段側の太陽電池モジュール７と下段側の太陽電池モジュール７とを突起３及び仮固定穴２ａを用いて係合可能な構造となる。
【００２５】
一方、太陽電池モジュール７は、設置方法によって１８０度回転させて配列される場合がある。すなわち、太陽電池モジュール７は、下フレーム１ｂが載置部４ａの傾斜の上側となる状態で配列される場合がある。したがって、上フレーム１ａの突起３の位置Ｇと下フレーム１ｂの突起３の位置Ｊとを同じにし、上フレーム１ａの仮固定穴２の位置Ｈと下フレーム１ｂの仮固定穴２の位置Ｉとを同じにすることにより、太陽電池モジュール７を１８０度回転させても上段側の太陽電池モジュール７と下段側の太陽電池モジュール７とを係合可能な構造となる。
【００２６】
つまり、上フレーム１ａの突起３の位置Ｇと上フレーム１ａの仮固定穴２の位置Ｈと下フレーム１ｂの仮固定穴２の位置Ｉと下フレーム１ｂの突起３の位置Ｊとを同じにすることで、上フレーム１ａと下フレーム１ｂとを共通の部品から構成した太陽電池モジュール７を並べて太陽電池システムを構成することができる。なお、実施の形態１では、突起３を構成するねじを取り付ける突起取付穴８は、上フレーム１ａと下フレーム１ｂとで変えている。
【００２７】
実施の形態１においては、フレーム１には上下に並んだ二つの突起取付穴８が設けられており、上フレーム１ａには下側の突起取付穴８に突起３を構成するねじがねじ止めされ、下フレーム１ｂには上側の突起取付穴８に突起３を構成するねじがねじ止めされている。したがって、太陽電池モジュール７を配列する際に、上フレーム１ａと下フレーム１ｂとの識別が容易である。
【００２８】
図９は、実施の形態１に係る太陽電池モジュールを架台の載置部の中段に仮固定する作業を示す図である。図９（ａ）は、最上段の太陽電池モジュール７ａに中段の太陽電池モジュール７ｂを仮固定する状態を示しており、図９（ｂ）は、最上段の太陽電池モジュール７ａの下フレーム１ｂと中段の太陽電池モジュール７ｂの上フレーム１ａの仮固定穴２と突起３とを係合させて仮固定する前の状態を拡大して示している。図９（ｃ）は、図９（ｂ）中のIXc-IXc線に沿った断面を示しており、図９（ｄ）は、図９（ｂ）中のIXd-IXd線に沿った断面を示している。なお、構成の理解を容易とするために図９（ｂ）では太陽電池パネル２０の図示は省略している。図９（ａ）に示すように、中段の太陽電池モジュール７ｂを仮固定する際には、最上段の太陽電池モジュール７ａは既に載置部４ａに固定済であるため、中段の太陽電池モジュール７ｂの上部、すなわち中段の太陽電池モジュール７ｂの上フレーム１ａを持ち上げて、太陽電池モジュール７ａ，７ｂそれぞれの突起３を仮固定穴２の通過部２ａに通し、中段の太陽電池モジュール７ｂを載置部４ａと接するように下ろすことにより仮固定できる。
【００２９】
図１０は、実施の形態１に係る太陽電池モジュールの仮固定後の仮固定穴付近を示す図である。突起３を形成するねじの頭が下側の保持部２ｂにつかえることにより、突起３を形成するねじは、ねじ先側に抜くことができなくなり、仮固定穴２が形成されたフレーム１と突起３が設けられたフレーム１とが仮固定される。
【００３０】
図１１は、実施の形態１に係る太陽電池モジュール同士を仮固定した状態を示す断面図である。最上段の太陽電池モジュール７ａの立ち上がり辺部３２には、突起３を形成するねじを仮固定する仮固定穴２が設けられている。中段の太陽電池モジュール７ｂの突起３を形成するねじは、最上段の太陽電池モジュール７ａの仮固定穴２に係合している。
【００３１】
太陽電池モジュール７は、５ｍｍから１０ｍｍ程度の隙間を空けて配列される。これにより、太陽電池モジュール７のフレーム１が熱で膨張しても、干渉が発生することは防止される。
【００３２】
また、太陽電池モジュール７の下フレーム１ｂと、突起３を構成するねじのねじ頭の底面部との間には、５ｍｍから１０ｍｍ程度の調整しろが設けられる。調整しろは、太陽電池モジュール７同士を仮固定した後、太陽電池モジュール固定穴５ａと架台固定穴５ｂとの位置を合わせるための調整しろである。したがって、突起３を構成するねじの首下の長さは下記式（１）で表される。
【００３３】
ねじの首下の長さ＝上フレーム１ａの厚さ＋隙間＋下フレーム１ｂの厚さ＋調整しろ  ・・・（１）
【００３４】
フレーム１の厚さは５ｍｍ程度であるため、突起３を構成するねじの首下の長さは、上記式（１）により２０ｍｍから３０ｍｍ程度となる。なお、フレーム１の厚さとは、立ち上がり辺部３２の部分での厚さである。
【００３５】
図１２は、実施の形態１に係る太陽電池モジュール同士を仮固定した状態を裏面側から見た模式図である。図１２に示すように、仮固定の状態では、最上段の太陽電池モジュール７ａの下フレーム１ｂに取り付けられた突起３が中段の太陽電池モジュール７ｂの上フレーム１ａに係合するとともに、中段の太陽電池モジュール７ｂの上フレーム１ａに取り付けられた突起３が上段の太陽電池モジュール７ａの下フレーム１ｂに係合して、中段の太陽電池モジュール７ｂの荷重の載置部４ａに平行な成分を支える。中段の太陽電池モジュール７ｂの荷重の載置部４ａに垂直な方向成分は、架台４の載置部４ａによって支えられているので、仮固定の状態では、中段の太陽電池モジュール７ｂは、人手による支えが無くても載置部４ａの上に静止させることができる。
【００３６】
このようにして太陽電池モジュール７ｂを仮固定した後、載置部４ａに平行な方向に位置調整しながら太陽電池モジュール固定穴５ａと架台固定穴５ｂの位置を合わせて固定することで、容易に太陽電池モジュール７ｂを設置することができる。なお、太陽電池モジュール７ｂの横方向の位置は、突起３と仮固定穴２との係合によって位置決めされるため、太陽電池モジュール固定穴５ａと架台固定穴５ｂとの位置を合わせる際には、載置部４ａの傾斜に沿った方向の位置合わせだけを行えばよく、施工性を向上させることができる。
【００３７】
図１３は、実施の形態１に係る仮固定後の中段の太陽電池モジュールを架台の載置部の中段に設置する作業を示す外観図である。上フレーム１ａ又は下フレーム１ｂが架台４の載置部４ａと重なる図１３中の４箇所のＥ部において、中段の太陽電池モジュール７ｂの太陽電池モジュール固定穴５ａと載置部４ａの架台固定穴５ｂとの位置を合わせて、最上段の太陽電池モジュール７ａと同様に、ボルト及びナットで固定する。中段の太陽電池モジュール７ｂは、最上段の太陽電池モジュール７ａの下フレーム１ｂの突起取付穴８に取り付けられた突起３が、中段の太陽電池モジュール７ｂの上フレーム１ａの仮固定穴２を貫通し、かつ中段の太陽電池モジュール７ｂの上フレーム１ａの突起取付穴８に取り付けられた突起３が最上段の太陽電池モジュール７ａの下フレーム１ｂの仮固定穴２に貫通した状態で、架台４の載置部４ａに固定される。
【００３８】
図１４は、実施の形態１に係る太陽電池モジュールを架台の載置部の最下段に設置する準備作業を示す図である。図１４（ａ）は、最下段の太陽電池モジュール７ｃの外観を示しており、図１４（ｂ）は、図１４（ａ）中のＦ部を拡大して示している。なお、構成の理解を容易とするために図１４（ｂ）では太陽電池パネル２０の図示は省略している。最下段の太陽電池モジュール７ｃの設置準備作業は、下フレーム１ｂに突起３を取り付けないこと以外は、中段の太陽電池モジュール７ｂの設置準備作業と同様である。
【００３９】
図１５は、実施の形態１に係る太陽電池モジュールを架台の載置部の最下段に仮固定する作業を示す図である。中段の太陽電池モジュール７ｂは既に載置部４ａに固定済であるため、最下段の太陽電池モジュール７ｃの上部、すなわち最下段の太陽電池モジュール７ｃの上フレーム１ａを持ち上げて、太陽電池モジュール７ｂ，７ｃそれぞれの突起３を仮固定穴２の通過部２ａに通し、最下段の太陽電池モジュール７ｃを載置部４ａと接するように下ろすことにより仮固定できる。仮固定後は、中段の太陽電池モジュール７ｂと同様に、最下段の太陽電池モジュール７ｃの太陽電池モジュール固定穴５ａと載置部４ａの架台固定穴５ｂとの位置を合わせて、ボルト及びナットで固定する。最下段の太陽電池モジュール７ｃは、中段の太陽電池モジュール７ｂの下フレーム１ｂの突起取付穴８に取り付けられた突起３が、最下段の太陽電池モジュール７ｃの上フレーム１ａの仮固定穴２を貫通し、かつ最下段の太陽電池モジュール７ｃの上フレーム１ａの突起取付穴８に取り付けられた突起３が中段の太陽電池モジュール７ｂの下フレーム１ｂの仮固定穴２に貫通した状態で、架台４の載置部４ａに固定される。
【００４０】
図１６は、実施の形態１に係る太陽電池モジュールを架台の載置部に三段設置した太陽電池システムを裏面側から見た模式図である。最下段の太陽電池モジュール７ｃをボルト及びナットで載置部４ａに固定することにより、最下段の太陽電池モジュール７ｃの上フレーム１ａに取り付けられた突起３は、調整しろの分だけ中段の太陽電池モジュール７ｂの下フレーム１ｂから離れた状態となる。
【００４１】
実施の形態１では、三枚の太陽電池モジュール７を三段にて載置部４ａに取り付けることで説明したが、中段の太陽電池モジュール７ｂと同様に太陽電池モジュール７ｂを追加して設置することで、太陽電池モジュール７を四段以上並べる構成とすることもできる。なお、中段の太陽電池モジュール７ｂを省略することで、太陽電池モジュール７が二段の構成とすることもできる。また、太陽電池モジュール７を横方向に複数並べる場合も同様であることは言うまでもない。また、実施の形態１では、仮固定穴２及び突起３が太陽電池モジュール７の長辺側の上フレーム１ａ及び下フレーム１ｂに設けられた構造で説明したが、太陽電池モジュール７の短辺側の左フレーム１ｃ及び右フレーム１ｄに仮固定穴２及び突起３を設けても同様に実現できる。
【００４２】
実施の形態１では、突起取付穴８を太陽電池モジュール７の長辺側のフレームに設けることとしたが、太陽電池モジュール７の短辺側のフレームに突起取付穴８を設けても良く、また、太陽電池モジュール７が正方形であっても良い。
【００４３】
実施の形態２．
図１７は、本発明の実施の形態２に係る太陽電池モジュールを仮固定する状態を示す図である。図１７（ａ）は、最上段の太陽電池モジュール７２ａの下フレーム１ｂと中段の太陽電池モジュール７２ｂの上フレーム１ａの仮固定穴２と突起３とを係合させて仮固定する前の状態を示しており、図１７（ｂ）は、図１７（ａ）中のXVIIb-XVIIb線に沿った断面を示している。なお、構成の理解を容易とするために図１７（ａ）では太陽電池パネル２０の図示は省略している。実施の形態２に係る太陽電池モジュール７２は、フレーム１の形状が実施の形態１に係る太陽電池モジュール７とは相違している。実施の形態２に係る太陽電池モジュール７２の仮固定穴２は、２個の円と長円とを組み合わせた形状となっており、仮固定穴２の両端が円形穴となっている。また、実施の形態２に係る太陽電池モジュール７２では、突起３は、仮固定穴２と対向する位置の中央に取り付けられている。
【００４４】
図１８は、実施の形態２に係る太陽電池モジュールの仮固定穴を示す図である。上段側の太陽電池モジュール７２の立ち上がり辺部３２には仮固定穴２が設けられている。仮固定穴２は、突起３を通す円形状の通過部２ａを上下方向の両端部に有し、突起３と係合して保持する保持部２ｂを通過部２ａ同士の間に有する。通過部２ａの直径は、突起３を形成するねじのねじ頭の外形寸法よりも大きくなっている。保持部２ｂの幅は、突起３を形成するねじのねじ頭の外形寸法よりも小さくなっている。
【００４５】
実施の形態２では、中段に設置する太陽電池モジュール７２ｂの上フレーム１ａ側を持ち上げ、最上段及び中段それぞれの太陽電池モジュール７２ａ，７２ｂの突起３を仮固定穴２の両端の通過部２ａに通し、中段の太陽電池モジュール７２ｂを載置部４ａと接するように下ろすことにより、最上段の太陽電池モジュール７２ａと中段の太陽電池モジュール７２ｂとを仮固定できる。中段の太陽電池モジュール７２ｂと最下段の太陽電池モジュールとの仮固定も同様である。その他は実施の形態１と同様であり説明を省略する。
【００４６】
実施の形態２では、突起３はフレーム１の高さ方向の中心に位置するため、突起３を取り付ける突起取付穴８をユーザが選択する必要はない。したがって、太陽電池モジュール７２の製造時にあらかじめ取り付けておくことができる。
【００４７】
図１９は、実施の形態２に係る太陽電池モジュール同士を仮固定した状態を示す断面図である。最上段の太陽電池モジュール７２ａの立ち上がり辺部３２には、ねじを固定するためのねじ穴である突起取付穴８が形成されており、中段の太陽電池モジュール７２ｂの突起取付穴８には、突起３を形成するねじが取り付けられている。
【００４８】
図２０は、実施の形態２に係る太陽電池モジュールの仮固定後の仮固定穴付近を示す図である。突起３を形成するねじの頭がねじ保持部２ｂにつかえることにより、突起３を形成するねじは、ねじ先側に抜くことができなくなり、最上段の太陽電池モジュール７２ａと中段の太陽電池モジュール７２ｂとが仮固定されている。
【００４９】
実施の形態２に係る太陽電池モジュール７２は、一つの仮固定穴２に対して突起取付穴８が一つ設けられている。したがって、突起取付穴８に突起３を取り付ける際に、穴を間違える可能性がないため、作業性を向上させることができる。
【００５０】
実施の形態３．
図２１は、本発明の実施の形態３に係る太陽電池モジュールを仮固定する状態を示す図である。図２１（ａ）は、最上段の太陽電池モジュール７３ａの下フレーム１ｂと中段の太陽電池モジュール７３ｂの上フレーム１ａの仮固定穴２と突起３とを係合させて仮固定する前の状態を示しており、図２１（ｂ）は、図２１（ａ）中のXXIb-XXIb線に沿った断面を示している。なお、構成の理解を容易とするために図２１（ａ）では太陽電池パネル２０の図示は省略している。実施の形態３に係る太陽電池モジュール７３は、フレーム１の形状が実施の形態１に係る太陽電池モジュール７とは相違している。実施の形態３に係る太陽電池モジュール７３の仮固定穴２は、実施の形態２と同様に、２個の円と長円とを組み合わせた形状となっており、仮固定穴２の両端が円形穴となっている。ただし、実施の形態３に係る太陽電池モジュール７３では、仮固定穴２の長手方向は、上フレーム１ａ及び下フレーム１ｂの長手方向と一致している。また、実施の形態３に係る太陽電池モジュール７３では、突起３は、仮固定穴２と対向する位置の中央に取り付けられている。
【００５１】
図２２は、実施の形態３に係る太陽電池モジュールの仮固定穴を示す図である。上段側の太陽電池モジュール７３の立ち上がり辺部３２には仮固定穴２が設けられている。仮固定穴２は、突起３を通す円形状の通過部２ａを上下方向の両端部に有し、突起３と係合して保持する保持部２ｂを通過部２ａ同士の間に有する。通過部２ａの直径は、突起３を形成するねじのねじ頭の外形寸法よりも大きくなっている。保持部２ｂの幅は、突起３を形成するねじのねじ頭の外形寸法よりも小さくなっている。
【００５２】
太陽電池モジュール７３同士を仮固定する際には、突起３を仮固定穴２の通過部２ａを通して横方向にずらすことにより仮固定が可能である。
【００５３】
図２３は、実施の形態３に係る太陽電池モジュール同士を仮固定した状態を示す断面図である。中段の太陽電池モジュール７３ｂの立ち上がり辺部３２には、ねじを固定するためのねじ穴である突起取付穴８が形成されており、突起取付穴８には、突起３を形成するねじが取り付けられている。
【００５４】
図２４は、実施の形態３に係る太陽電池モジュールの仮固定後の仮固定穴付近を示す図である。突起３を形成するねじの頭が保持部２ｂにつかえることにより、突起３を形成するねじは、ねじ先側に抜くことができなくなり、最上段の太陽電池モジュール７３ａと中段の太陽電池モジュール７３ｂとが仮固定される。
【００５５】
実施の形態３では、通過部２ａが左右に並んで配置され、その間の保持部２ｂを突起３が左右に通過する。従って、突起３を通過部２ａに通してから保持部２ｂまでスライドさせるためには、太陽電池モジュール７３を左右にスライドさせればよい。従って、太陽電池モジュール７３を、載置部４ａに乗せた状態で、載置部４ａ上でスライドさせればよく、スライド作業中に荷重を手で受ける必要が無いので、組み立て作業が容易になる。
【００５６】
上記の実施の形態１、実施の形態２及び実施の形態３では、上フレーム１ａ及び下フレーム１ｂに仮固定穴２及び突起取付穴８が一対設けられた構造を挙げて説明したが、仮固定穴２及び突起取付穴８は、上フレーム１ａ及び下フレーム１ｂに複数対設けられていても良い。すなわち、第１のフレームである上フレーム１ａが第１の仮固定穴である仮固定穴２及び第１の突起取付穴である突起取付穴８を複数対備え、第２のフレームである下フレーム１ｂが第２の仮固定穴である仮固定穴２及び第２の突起取付穴である突起取付穴８を複数対備えていても良い。
【００５７】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５８】
１  フレーム、１ａ  上フレーム、１ｂ  下フレーム、１ｃ  左フレーム、１ｄ  右フレーム、２  仮固定穴、２ａ  通過部、２ｂ，３３  保持部、２ｕ  上端、２ｌ  下端、３  突起、４  架台、４ａ  載置部、５ａ  太陽電池モジュール固定穴、５ｂ  架台固定穴、６ａ  ボルト、６ｂ  ナット、７，７ａ，７ｂ，７ｃ，７２，７２ａ，７２ｂ，７２ｃ，７３  太陽電池モジュール、８  突起取付穴、２０  太陽電池パネル、２０ａ  受光面、２０ｂ  裏面、２０ｃ  外周縁部、３１  下辺部、３２  立ち上がり辺部、３３ａ  内側張り出し上辺部、３３ｂ  上方延出部、３３ｃ  挟持部、７１  太陽電池セル。
【図１】
2018033270.tif 000003
【図２】
2018033270.tif 000004
【図３】
2018033270.tif 000005
【図４】
2018033270.tif 000006
【図５】
2018033270.tif 000007
【図６】
2018033270.tif 000008
【図７】
2018033270.tif 000009
【図８】
2018033270.tif 000010
【図９】
2018033270.tif 000011
【図１０】
2018033270.tif 000012
【図１１】
2018033270.tif 000013
【図１２】
2018033270.tif 000014
【図１３】
2018033270.tif 000015
【図１４】
2018033270.tif 000016
【図１５】
2018033270.tif 000017
【図１６】
2018033270.tif 000018
【図１７】
2018033270.tif 000019
【図１８】
2018033270.tif 000020
【図１９】
2018033270.tif 000021
【図２０】
2018033270.tif 000022
【図２１】
2018033270.tif 000023
【図２２】
2018033270.tif 000024
【図２３】
2018033270.tif 000025
【図２４】
2018033270.tif 000026